(57)【要約】      （修正有）【課題】ＬＥＤを光源とした照明具において、人の目へのまぶしさの低減を図ることができるＬＥＤ照明器具を提供する。【解決手段】例えば白色の発光ダイオード１３０ａ〜１３０ｄと、当該発光ダイオード１３０ａ〜１３０ｄからの光を反射させる反射面を有する光反射部１２０を備え、前記光反射部１２０の、前記発光ダイオード側には、前記発光ダイオード１３０ａ〜１３０ｄの光を散乱させて反射させる光散乱反射面が形成されている。【選択図】図１
2013012364.tif 000002
【特許請求の範囲】
【請求項１】
少なくとも一の発光ダイオードと、
当該発光ダイオードからの光を反射させる反射面を有する光反射部を有し、
前記光反射部の、前記発光ダイオード側には、前記発光ダイオードの光を散乱させて反射させる光散乱反射面が形成されている
ことを特徴とするＬＥＤ照明器具。
【請求項２】
前記光散乱反射面は、前記光反射部の前記発光ダイオード側にガラスビーズを貼付して形成される
ことを特徴とする請求項１に記載のＬＥＤ照明器具。
【請求項３】
前記光反射部の前記発光ダイオード側が、色付けされており、
前記発光ダイオードの光が、前記光散乱反射面にて反射する際に、当該光反射部に付された色が反映されて反射される
ことを特徴とする請求項１又は２に記載のＬＥＤ照明器具。
【請求項４】
前記光散乱反射面は、前記光反射部の前記発光ダイオード側に、ガラスビーズ高輝度反射シートを貼付して形成される
ことを特徴とする請求項１に記載のＬＥＤ照明器具。
【請求項５】
前記ガラスビーズ高輝度反射シートには、高屈折率の微小ガラスビーズがほぼ均一に埋め込まれている
ことを特徴とする請求項４に記載のＬＥＤ照明器具。
【請求項６】
前記ガラスビーズの粒径は、０．２ｍｍ〜１０ｍｍである
ことを特徴とする請求項１から５のいずれかに記載のＬＥＤ照明器具。
【発明の詳細な説明】
【技術分野】
【０００１】
本発明は、ＬＥＤ照明器具に関し、特に、発光ダイオード（ＬＥＤ）の光のまぶしさの低減を図るＬＥＤ照射器具に関する。
【背景技術】
【０００２】
近年、発光ダイオード（以下、「ＬＥＤ」という。）照明が広く実用に供されるようになった。ＬＥＤ照明の一例は、例えば特許文献１に開示がある。
【先行技術文献】
【特許文献】
【０００３】
【特許文献１】特開２０１１−０５４５２９号公報
【発明の概要】
【発明が解決しようとする課題】
【０００４】
ＬＥＤ照明の問題点として、光源であるＬＥＤを直接目視した場合に、人間の目にとってはまぶしすぎる場合がある、という点がある。
【０００５】
本発明は上記の点に鑑みてなされたものであって、ＬＥＤを光源とするＬＥＤ照明器具において、まぶしさの低減を図ることができるＬＥＤ照明器具を提供することを目的としている。
【課題を解決するための手段】
【０００６】
上記の問題点を解決するために、本発明に係るＬＥＤ照明器具は、少なくとも一の発光ダイオードと、当該発光ダイオードからの光を反射させる反射面を有する反射部を有し、前記反射部の、前記発光ダイオード側には、前記発光ダイオードの光を散乱させて反射させる光散乱反射面が形成されていることを特徴としている。
【０００７】
本発明においては、ＬＥＤからの光を、例えばガラスビーズを貼付した光散乱反射面にて反射させ、その反射光を照射する。この際、例えばガラスビーズの光散乱効果により、まぶしさの低減を図ることができる。なお、本明細書における光「散乱」とは、ＬＥＤからの光が、光散乱反射面で反射して、光の進行方向や空間的分布等に変化がもたらされることを言い、本発明においては、光の波長が変化する場合も含む。また、ＬＥＤの個数、色、構成、形状などに全く限定はなく、例えば白色であれば、フルカラータイプＬＥＤを用いることができるが、これに限定されない。
【０００８】
前記光散乱反射面は、前記反射部の前記発光ダイオード側にガラスビーズを貼付して形成される構成とすることができる。
【０００９】
より具体的には、前記光散乱反射面は、前記発光ダイオード側に塗られた、接着作用を有する液体（例えばラッカー）が、例えばドライヤにて半乾き状態とされたときに、前記ガラスビーズを散布し、接着しなかった剰余のガラスビーズを除去して形成することができる。もっとも、液体がラッカーに限定されないことは勿論であり、半乾きにする方法もドライヤに限定されない。
【００１０】
前記反射部の前記発光ダイオード側、又は前記接着作用を有する液体が、色付けされており、前記発光ダイオードの光が、前記光散乱反射面にて反射する際に、当該反射部に付された色が反映されて反射される構成とすれば、様々な色のＬＥＤ照明器具とすることができる。反射部に付する色は単色でも、複数色でもよく、また、白色部を含んでいても良い。
【００１１】
前記光散乱反射面は、前記反射部の前記発光ダイオード側に、ガラスビーズ高輝度反射シートを貼付して形成される構成とすることもできる。シートの材料は特に限定されないが、ある程度柔軟性を有するシートであることが好ましい。
【００１２】
前記ガラスビーズ高輝度反射シートには、高屈折率の微小ガラスビーズがほぼ均一に埋め込まれている構成とすることもできる。
【００１３】
例えば、光の入射した方向へ入射させる構成とすることもでき、ＬＥＤからの光拡散角度が１２０°の場合であれば、Ｒが１２０°の光散乱反射面とすればよい。
【００１４】
前記ガラスビーズの粒径は、例えば０．２ｍｍ〜１０ｍｍである構成とすることができるが、用途等の条件により、種々の粒径のガラスビーズを用いることができ、粒径が特に限定されるわけではない。
【発明の効果】
【００１５】
本発明に係るＬＥＤ照明器具によると、その構成により、人の目にやさしい光を照射することができるという効果を奏する。
【図面の簡単な説明】
【００１６】
【図１】本発明の一実施の形態におけるＬＥＤ照明器具の全体概略構成の一例について説明するための斜視図である。
【図２】本発明の一実施の形態における光散乱面の一例について説明するための側面図である。
【発明を実施するための形態】
【００１７】
以下、本発明の実施の形態について、図面を参照しながら説明する。
図１は、本発明の一実施の形態におけるＬＥＤ照明器具の全体概略構成の一例について説明するための斜視図である。
【００１８】
本実施の形態のＬＥＤ照明器具１００は、例えば、人が片手で持つのに適した大きさのハンドル１１０、ＬＥＤからの光を散乱反射させる光散乱反射面１２１（図２参照）が形成された光反射部１２０、本実施の形態では、１３０ａ〜１３０ｄの４個のＬＥＤが配されたＬＥＤ設置棒１３０を含んでいる。
【００１９】
ＬＥＤ１３０ａ〜１３０ｄは、本実施の形態では、例えば白色のＬＥＤであり、光反射部１２０の方に向って光が放射される。ＬＥＤの色や個数には、特に限定はない。ＬＥＤ設置棒１３０は、例えば４本の支持棒１４１〜１４４により、光反射部１２０との間の位置関係が固定される。本実施の形態では、ＬＥＤ設置棒１３０の両端に、ＬＥＤ設置棒支持部１５０が設けられており、前記した４本の支持棒が、ＬＥＤ設置棒１３０の両端から光反射部１２０の四隅を支えている。
【００２０】
本実施の形態では、ハンドル１１０上に電池１１１、スイッチ１１２を設けており、スイッチ１１２をオンとすると、ＬＥＤ１３０ａ〜１３０ｄが発光するように構成しているが、電源の構成は、何ら限定されることはない。
【００２１】
図２は、本発明の一実施の形態における光散乱反射面１２１の一例について説明するための側面図であって、図１における矢印Ａ方向から見た側面図である。
【００２２】
ＬＥＤ設置棒支持部１５０と、ＬＥＤ設置棒１３０との間には、止め具１５１が配されており、例えば止め具１５１の略中央を軸心として、ＬＥＤ設置棒１３０は、例えば矢印Ｂ方向に回動自在としているが、この矢印Ｂ方向の回動は必須ではなく、ＬＥＤ設置棒１３０は固定する構成としても良い。
【００２３】
光散乱反射面１２１は、ＬＥＤからの光を散乱させ、ＬＥＤの光のまぶしさの低減を図る。本実施の形態では、接着作用を有するラッカー下地剤を光反射部１２０のＬＥＤ側に塗布し、それを、例えばドライヤなどを用いて、半乾きの状態とし、その上にガラスビーズ（例えば、ブライト標識工業株式会社製で、粒径がおよそ０．２ｍｍ〜１０ｍｍ程度）を貼付する。もっとも、用途などにより、ガラスビーズの粒径は調整可能であり、０．２ｍｍ〜１０ｍｍ程度に限定されることはない。また、下地剤もラッカーに限定されず、水性、ウレタン、ラッカー、ペンキ等々とかなりの種類の下地が利用し得る。
【００２４】
この光散乱反射面１２１により、例えば矢印Ｃ方向に向うＬＥＤの光を矢印Ｄ方向等へと散乱させることができ、ＬＥＤを直接目視するのと比べると、まぶしさの軽減を図ることができ、人の目に優しい光を照射することができる。光散乱反射面の形態については、図２に示すようなＲを設けたものに限定されず、一般的な円形、四角型、テーパー型などの様々な形状の反射面とすることができる。
【００２５】
もっとも、本発明の範囲は上記実施の形態に限定されず、例えば、光反射部１２０のＬＥＤ側に、ガラスビーズ高輝度反射シートを貼付して形成しても良い。高輝度反射シートの材料は特に限定されないが、ある程度柔軟性を有することが好ましい。
【００２６】
また、光反射部１２０のＬＥＤ側を色付けし、ＬＥＤからの光が、前記光散乱反射面にて反射する際に、光反射部１２０に付された色が反映されて反射される構成とすれば、様々な色のＬＥＤ照明器具とすることができる。光反射部１２０に付する色は単色でも、複数色でもよく、また、白色部を含んでいても良い。
【００２７】
さらに、本発明のＬＥＤ照明器具の用途は、ハンドルで手持ちが可能なサイズに限定されず、掲示板、野球場その他の照明に適用することも可能である。
【産業上の利用可能性】
【００２８】
本発明は、例えば、ＬＥＤを用いたＬＥＤ照明器具に適用することができる。
【符号の説明】
【００２９】
１００                        ＬＥＤ照明器具
１１０                        ハンドル
１１１                        電池
１１２                        スイッチ
１２０                        光反射部
１２１                        光散乱反射面
１３０                        ＬＥＤ設置棒
１３０ａ〜１３０ｄ            発光ダイオード（ＬＥＤ）
１４１〜１４４                支持棒
１５０                        ＬＥＤ設置棒支持部
１５１                        止め具
【図１】
2013012364.tif 000003
【図２】
2013012364.tif 000004